(57)【要約】【課題】吸湿呼吸装置のメンテナンス時間を短縮し、外的要因による吸湿剤収納容器の破損を防止した小型軽量の吸湿呼吸装置を提供する。【解決手段】吸湿剤収納容器４の蓋板１０の上面に開口面積の大きい管接続部１２を設け、蓋板１０の下面にスペーサ１３ａを介して締付座１３を締結させ、前記吸湿剤収納容器４の外周面を保護カバー２１で覆い、前記吸湿剤収納容器４内から外部への排気を行わせる排気弁２５と、外部から前記吸湿剤収納容器４内への吸気を行わせる吸気弁２６とをフレーム７ａに取り付けて構成したオイルレスの呼吸用弁機構６ａからなる呼吸器６が吸湿剤収納容器４の底板１１の下面の凹部１１ｃを下方から気密に塞ぐように配置されて、該呼吸器６がボルト８により底板１１に締結される。【選択図】    図１
2012074553.tif 000002
【特許請求の範囲】
【請求項１】
筒状の容器本体と該容器本体の上端及び下端をそれぞれ閉じる蓋板及び底板とを備えて、前記蓋板に前記容器本体内に連通した管接続部と締付座が設けられ、前記底板の上面には通気孔を有する保護蓋が配設され、下面には凹部が設けられ、前記底板を貫通した孔を通して前記容器本体内に連通させられた吸湿剤収納容器と、前記内筒を内側に収容した状態で前記底板に着脱可能に取り付けられて前記吸湿剤収納容器内の圧力と大気圧との差に応じて前記吸湿剤収納容器内から外部への排気と外部から前記吸湿剤収納容器内への吸気を行わせる呼吸器とを備え、前記吸湿剤収納容器は一方が前記締付座にネジ結合されたロッドと該ロッドに螺合したナットとにより上下のパッキンを介して気密に締付け固定され、前記吸湿剤収納容器内に吸湿剤が収納されて、前記管接続部に接続された接続管が油入り電気機器のタンクに直接またはコンサベータを介して接続される油入り電気機器用吸湿呼吸装置において、
前記容器本体内に連通した管接続部は、開口面積の大きい連通孔を有し、  
前記呼吸器は、前記吸湿剤収納容器内から外部への排気を行わせる排気弁と、外部から前記吸湿剤収納容器内への吸気を行わせる吸気弁とをフレームに取り付けて構成した呼吸用弁機構からなっていて、該呼吸用弁機構のフレームが前記底板の下面の凹部を下方から気密に塞ぐように配置されてネジにより前記底板に締結され、
前記呼吸用弁機構が、前記底板の下面の凹部内を通して前記排気及び吸気を行うように構成されていること、
を特徴とする油入電気機器用吸湿呼吸装置。
【請求項２】
前記呼吸用弁機構のフレームには、上端が前記凹部内に開口した排気弁収容穴及び吸気弁収容穴が形成され、
前記排気弁収容穴の底部及び吸気弁収容穴の底部にそれぞれ排気用弁座及び吸気用弁座が設けられて、該排気用弁座及び吸気用弁座とともに前記排気弁及び吸気弁を構成する排気用弁体及び吸気用弁体が前記排気弁収容穴内及び吸気弁収容穴内に挿入され、
前記排気弁収容穴の上端の開口部を気密に閉じて前記排気弁収容穴と前記底板の下面の凹部との間を仕切る蓋体が設けられ、
前記フレーム内には、前記排気弁収容穴内の前記排気用弁体よりも下方の空間を前記フレーム内を通して前記底板の下面の凹部内に連通させる第１の排気孔と、前記排気用弁体の周囲の空間を前記フレーム内を通して外部に連通させる第２の排気孔と、前記吸気弁収容穴内を前記フレーム内を通して外部に連通させる吸気孔とが設けられ、
前記底板の下面の凹部内の圧力が大気圧よりも第１の設定値以上高くなったときに前記排気弁が開き、前記底板の下面の凹部内の圧力が大気圧よりも第２の設定値以上低くなったときに前記吸気弁が開くように、前記排気用弁体及び吸気用弁体の質量が設定されていること、
を特徴とする請求項１に記載の油入電気機器用吸湿呼吸装置。
【請求項３】
前記吸気孔の前記吸気弁収容穴と反対側の開口部及び前記第２の排気孔の前記排気弁収容穴と反対側の開口部はともに下方に開口するように設けられ、
前記吸気孔の下方に開口した開口部及び前記第２の排気孔の下方に開口した開口部をそれぞれ塞ぐ第１のフィルタ及び第２のフィルタが前記フレームに取り付けられている請求項２に記載の油入電気機器用吸湿呼吸装置。
【請求項４】
前記底板には、前記呼吸器のフレームの外周を覆う円筒状の保護筒部が前記底板の下面から下方に突出して一体に設けられ、
前記保護筒部の内側に前記呼吸用弁機構が配置されていることを特徴とする請求項２または３に記載の油入電気機器用吸湿呼吸装置。
【請求項５】
前記容器本体の外周は、周方向の一部に開口部を有する円柱状の保護カバーで覆われていることを特徴とする請求項２ないし３に記載の油入電気機器用吸湿呼吸装置。
【請求項６】
前記締付座は、スペーサを介して前記蓋板に締結されていることを特徴とする請求項２ないし５に記載の油入電気機器用吸湿呼吸装置。
【請求項７】
前記ロッドの下方側には、その外周に溝が周設されているシール用のゴムパッキンが嵌合され、前記溝内に前記保護蓋の内周端を挿嵌させることにより前記保護蓋が前記底板の上面に係止させられることを特徴とする請求項２ないし６に記載の油入電気機器用吸湿呼吸装置。
【発明の詳細な説明】
【技術分野】
【０００１】
本発明は、油入変圧器、油入リアクトル等の油入電気機器に用いる吸湿呼吸装置に関するものである。
【背景技術】
【０００２】
変圧器等の電気機器本体を絶縁油とともにタンク内に収容した油入電気機器においては、機器の温度変化や周囲温度の変化により絶縁油が膨張収縮してタンク内の圧力が変動するため、タンク内の圧力を調整するために呼吸を行なわせる必要がある。呼吸に伴ってタンク内に空気を流入させると、水分の混入や、酸化により絶縁油が劣化し、絶縁性能が低下する。そのため、通常は、タンクの上部にコンサベータを取り付けて、絶縁油の油面を該コンサベータ内に位置させることにより、タンク内の絶縁油に直接空気が接触するのを防いでいる。この場合、油面レベルの変化に伴うコンサベータ内の圧力変動を一定の範囲内に収めるため、コンサベータに吸湿呼吸装置を接続して呼吸を行なわせている。
【０００３】
吸湿呼吸装置は、コンサベータ内の絶縁油に湿気が到達するのを防ぐために、吸湿剤を通して呼吸を行わせるものであるが、常時外気が吸湿剤に触れていると、吸湿剤が早期に劣化してしまう。そのため、この種の呼吸装置では、コンサベータ内の圧力が規定の範囲内にあって、呼吸が行われない状態では、吸湿呼吸装置内と外気との間での空気の流通を断っておいて、コンサベータ内の圧力が規定範囲を上回ったときに排気を行わせ、コンサベータ内の圧力が規定範囲を下回ったときに吸気を行わせるようにしておく必要がある。
【０００４】
なおコンサベータを設ける代りに、油入電気機器のタンク内の上部に油面の上昇を許容する空間を設けて、該タンクの上部に直接吸湿呼吸装置を接続する場合もある。
【０００５】
油入電気機器用の吸湿呼吸装置は、筒状の容器本体と該容器本体の上端及び下端をそれぞれ閉じる蓋板及び底板とを備えて、蓋板に容器本体内に連通した管接続部が設けられ、底板にはその下面から下方に突出した内筒が一体に設けられて該内筒の内側の空間が底板を貫通した通気孔を通して容器本体内に連通している吸湿剤収納容器と、上記内筒を内側に収容した状態で底板に着脱可能に取り付けられて吸湿剤収納容器内の圧力と外気の圧力との差に応じて吸湿剤収納容器内から外部への排気と外部から吸湿剤収納容器内への吸気とを行わせる呼吸器とを備えている。
【０００６】
呼吸器としては、吸湿剤収納容器の底板に設けられた内筒を内部に受入れた状態で該吸湿剤収納容器の底板に取り付けられるオイルポットが広く用いられていた。オイルポット内にはシール油が収容され、吸湿剤収納容器の底板に設けられた内筒の下端がシール油中に浸漬されることにより、吸湿剤収納容器内と外気との間の遮断が図られる。
【０００７】
ところが、オイルポットを用いた場合には、その内部のシール油の量の点検を定期的に行う必要があるだけでなく、オイルポット内のクリーニングやシール油の交換を定期的に行う必要があるため、保守点検が面倒になるのを避けられなかった。またシール油が漏れて周囲を汚染するおそれがあった。
【０００８】
そこで、最近では、オイルポットを用いずに、排気弁と、吸気弁とを備えた機械式の呼吸用弁機構を用いて呼吸を行わせるようにした吸湿呼吸装置が用いられるようになった。図２（ａ）及び（ｂ）に示したように、この種の吸湿呼吸装置３は、吸湿剤収納容器４と、吸湿剤収納容器４の底板にアダプタ５を介して着脱可能に取り付けられて、吸湿剤収納容器４内の圧力と大気圧との差に応じて吸湿剤収納容器４内から外部への排気と外部から吸湿剤収納容器４内への吸気とを行わせる呼吸器６と、アダプタ５と呼吸器６とを覆う保護筒７とを備えており、呼吸器６は、アダプタ５の底壁部の凹部を下方から気密に塞ぐように配置されて、該呼吸器６がボルト８によりアダプタ５に締結されている。
【０００９】
吸湿剤収納容器４は、硬質ガラスまたはアクリル等の透明な材料からなる筒状の容器本体９と、該容器本体９の上端及び下端をそれぞれ閉じる蓋板１０及び底板１１とを備えている。蓋板１０には管接続部１２及びネジ孔を有する締付座１３が設けられている。底板１１には底板を貫通した図示しない連通孔及び底板の下面から下方に突出した円筒状の内筒１４が一体に設けられ、また、底板１１の上面には通気孔を有する保護蓋１７が連通孔を覆うようにして配設されており、内筒１４の内側の空間が底板１１を貫通した連通孔及び保護蓋１７に設けた通気孔を通して容器本体９内に連通させられている。管接続部１２の内周縁には、容器本体９内への吸湿材の投入及び容器本体９内からの吸湿材の排出を行なうための吸湿材投入排出孔１５が下方に傾斜して設けらて容器本体９内に連通させられている。保護蓋１７は吸湿剤収納容器４内に充填されている吸湿剤の粉塵や欠片が連通孔を通って呼吸用弁機構６ａ側に侵入してその動作を阻害するのを防ぐために必要である。  
【００１０】
１６は容器本体９を締付け固定するロッドであり、一方が締付座１３にネジ結合され、他方が保護蓋１７及び底板１１を貫通され、ロッドに螺合されたナット１８を締付けることにより、蓋板１０及び底板１１が互いに引き寄せられて容器本体９が上下のパッキン１９，２０により気密にシールされて締付け固定されている。
【００１１】
この種の呼吸装置で用いられている呼吸用弁機構においては、呼吸装置内の圧力が外気の圧力よりも第１の設定レベル以上高くなったときに排気弁を開いて呼吸装置内の圧力を開放させ、呼吸装置内の圧力が外気圧よりも第２の設定値以上低くなったときに吸気弁が開いて外気を呼吸装置内に流入させるようにしている。
【先行技術文献】
【特許文献】
【００１２】
【特許文献１】特開２００９−５４８３４号公報
【発明の概要】
【発明が解決しようとする課題】
【００１３】
油入電気機器の吸湿呼吸装置のメンテナンスを容易にし、シール油が外部に漏れるのを防ぐためには、オイルポットを用いた既設の吸湿呼吸装置においても、オイルポットに代えて、機械式の呼吸用弁機構を用いるようにすることが好ましい。
【００１４】
呼吸用弁機構を用いた従来の吸湿呼吸装置では、吸湿剤収納容器内への吸湿材の投入及び吸湿剤収納容器内からの吸湿材の排出を行なうための吸湿材投入排出孔の開口面積が小さく、また、下方に傾斜して設けらているため、定期的なメンテナンス時の吸湿剤の排出及び投入作業時において、吸湿剤をスムースに排出及び投入することができなく、メンテナンスに長い時間がかかるという問題があった。
【００１５】
また、吸湿剤を充填する硬質ガラスまたはアクリル等からなる吸湿剤収納容器がむき出しのため、油入電気機器の輸送時や装柱作業時に外的要因によって吸湿剤収納容器が破損するおそれがあった。
【００１６】
更に、底板にはその下面から下方に突出した内筒が設けられているため、吸湿呼吸装置が大型化するという問題があった。
【００１７】
更にまた、ロッドと保護蓋との間の隙間から吸湿剤収納容器内に充填されている吸湿剤
の粉塵や欠片が呼吸用弁機構側に侵入するおそれがあり、これにより、排気弁及び吸気弁
の密閉機能が失われるおそれがあった。
【００１８】
本発明の目的は、吸湿剤の排出及び投入作業をスムースに行なえるようにし、定期的なメンテナンスの作業時間を短縮させることができるようにした吸湿呼吸装置を提供することにある。
【００１９】
本発明の他の目的は、油入電気機器の輸送時や装柱作業時に外的要因によって吸湿剤収納容器が破損するのを防止することができるようにした吸湿呼吸装置を提供することにある。
【００２０】
本発明の他の目的は、内筒を廃して、呼吸用弁機構を用いた吸湿呼吸装置の信頼性を低下させることなく、小型軽量化を図ることができるようにした吸湿呼吸装置を提供することにある。
【００２１】
本発明の他の目的は、吸湿剤の粉塵や欠片により排気弁及び吸気弁の密閉機能が喪失するのを防ぐことができるようにして、信頼性を向上させた吸湿呼吸装置を提供することにある。
【課題を解決するための手段】
【００２２】
本発明は、筒状の容器本体と該容器本体の上端及び下端をそれぞれ閉じる蓋板及
び底板とを備えて、蓋板の上面側にはその上面から上方に突出して容器本体内に連
通した開口面積の大きい管接続部が設けられ、底板には底板を貫通した連通孔を通
して容器本体内に連通させられた吸湿剤収納容器と、底板を貫通した連通孔覆うよ
うに底板の上面に配設された通気孔を有する保護蓋と、上記底板に着脱可能に取り
付けられて吸湿剤収納容器内の圧力と大気圧との差に応じて吸湿剤収納容器内から
外部への排気と外部から吸湿剤収納容器内への吸気を行なわせる呼吸器とを備え、
吸湿剤収納容器内に吸湿剤が収納されて、上記管接続部に接続された通気管が油入
電気機器のタンクに直接またはコンサベータを介して接続される油入電気機器用吸
湿呼吸装置を対象とする。
【００２３】
本発明においては、蓋板の下面側にネジ孔を有する締付座がスペーサを介して取
り付けられ、底板の下面に下方に開口した凹部が形成され、底板を貫通した連通孔
を通して吸湿剤収納容器内と凹部内とが連通され、連通孔が位置する底板の上面側
には通気孔を有する保護蓋が配設されている。吸湿剤収納容器は、一方が締付座に
ネジ結合され、他方が保護蓋及び底板を貫通して底板の下面に下方に開口した凹部
内に位置するロッドと、該ロッドに設けられているネジ山に螺合されたナットとに
より蓋板及び底板が互いに引き寄せられ、パッキンにより気密にシールされて締付
け固定され、ロッドの下方側にはシール用のゴムパッキンが保護蓋に密着するよう
にして嵌合され、容器本体の外周が周方向の一部に開口部を有する円柱状の保護カ
バーで覆われるように構成されている。
【００２４】
また呼吸器は、吸湿剤収納容器内から外部への排気を行わせる排気弁と、外部か
ら吸湿剤収納容器内への吸気を行わせる吸気弁とをフレームに取り付けて構成した
呼吸用弁機構からなっていて、該呼吸用弁機構のフレームが吸湿剤収納容器の底板
の凹部を下方から気密に塞ぐように配置されてネジにより底板に直接締結され、呼
吸用弁機構が、容器本体の底板の凹部内を通して排気及び吸気を行うように構成さ
れている。
【００２５】
上記のように、管接続部の開口面積を大きくし、スペーサにより吸湿剤収納容器
の蓋板の下面と締付座の上端面との間に隙間を設けるようにすると、吸湿剤収納
容器内への吸湿材の投入及び吸湿剤収納容器内からの吸湿材の排出がスムースに
できるため、吸湿呼吸装置のメンテナンスを短時間で行なうことができる。
【００２６】
また上記のように、容器本体の外周を周方向の一部に開口部を有する保護カバー
で覆うようにすると、油入電気機器の輸送時や装柱作業時に外的要因による吸湿剤
収納容器の破損を防止することができる。
【００２７】
更に上記のように、内筒を廃し、呼吸用弁機構のフレームを吸湿剤収納容器の底
板の凹部を下方から気密に塞ぐように配置してネジにより底板に直接締結するよう
にすると、吸湿呼吸装の小型軽量化を図ることができる
【００２８】
更にまた上記のように、ロッドにシール用のゴムパッキンを嵌合させるとともに
、ゴムパッキンを保護蓋に密着させるようにすると、ロッドと保護蓋との間の隙間
から吸湿剤収納容器内に充填されている吸湿剤の粉塵や欠片が呼吸用弁機構側に侵
入するのを防止することができ、排気弁及び吸気弁の密閉機能が喪失するのを防い
で、信頼性を向上させることができる。
【００２９】
本発明の好ましい態様では、上記呼吸用弁機構のフレームに、容器本体の底板側に上端が開口した排気弁収容穴及び吸気弁収容穴が形成され、排気弁収容穴の底部及び吸気弁収容穴の底部にそれぞれ排気用弁座及び吸気用弁座が設けられて、該排気用弁座及び吸気用弁座とともに排気弁及び吸気弁を構成する排気用弁体及び吸気用弁体が排気弁収容穴内及び吸気弁収容穴内に挿入される。また排気弁収容穴の上端の開口部を気密に閉じて排気弁収容穴と底板の下面の凹部との間を仕切る蓋体が設けられる。更にフレーム内には、排気弁収容穴内の排気用弁体よりも下方の空間をフレーム内を通して底板の下面の凹部内アダプタの凹部内に連通させる第１の排気孔と、排気用弁体の周囲の空間をフレーム内を通して外部に連通させる第２の排気孔と、吸気弁収容穴内をフレーム内を通して外部に連通させる吸気孔とが設けられ、底板の下面の凹部内の圧力が大気圧よりも第１の設定値以上高くなったときに排気弁が開き、板の下面の凹部内の圧力が大気圧よりも第２の設定値以上低くなったときに吸気弁が開くように、排気用弁体及び吸気用弁体の質量が設定される。
【００３０】
本発明の他の好ましい態様では、吸気孔の吸気弁収容穴と反対側の開口部及び第２の排気孔の排気弁収容穴と反対側の開口部がともに下方に開口するように設けられ、吸気孔の下方に開口した開口部及び第２の排気孔の下方に開口した開口部をそれぞれ塞ぐ第１のフィルタ及び第２のフィルタがフレームに取り付けられている。
【発明の効果】
【００３１】
上記のように、本発明においては、管接続部の開口面積を大きくし、スペーサにより吸湿剤収納容器の蓋板の下面と締付座の上端面との間に隙間を設けるようにしたので、吸湿剤収納容器内への吸湿材の投入及び吸湿剤収納容器内からの吸湿材の排出がスムースにできるため、吸湿呼吸装置のメンテナンスを短時間で行なうことができる。
【００３２】
また本発明においては、容器本体の外周を周方向の一部に開口部を有する保護カ
バーで覆うようにしたので、油入電気機器の輸送時や装柱作業時に外的要因によ
る吸湿剤収納容器の破損を防止することができる。
【００３３】
更に本発明においては、内筒を廃し、呼吸用弁機構のフレームを吸湿剤収納容器
の底板の凹部を下方から気密に塞ぐように配置してネジにより底板に直接締結する
ようにしたので、吸湿呼吸装の小型軽量化を図ることができる。
【００３４】
更にまた本発明においては、ロッドにシール用のゴムパッキンを嵌合させるとと
もに、ゴムパッキンを保護蓋に密着させるようにすると、ロッドと保護蓋との間の
隙間から吸湿剤収納容器内に充填されている吸湿剤の粉塵や欠片が呼吸用弁機構側
に侵入するのを防止することができ、排気弁及び吸気弁の密閉機能が喪失するのを
防いで、信頼性を向上させることができる。
【図面の簡単な説明】
【００３５】
【図１】本発明の一実施形態に係わる吸湿呼吸装置を油入電気機器のタンクの上部に取り付けられた接続管に接続した状態を断面して示した正面図である。
【図２】本発明の一実施形態に係わる吸湿呼吸装置の構成を示したものであり、（Ａ）は上面図、（Ｂ）は断面図である。
【図３】本実施形態で用いる呼吸用弁機構の拡大断面図である。
【図４】従来の吸湿呼吸装置の構成を示したものであり、（Ａ）は上面図、（Ｂ）は断面図である。
【発明を実施するための形態】
【００３６】
以下図面を参照して本発明の実施形態を詳細に説明する。
図１において、１は油入変圧器のタンク、２はタンク１の上部に一端が接続され、他端が下方に開口した逆Ｊ字形の接続管、３は接続管２の他端に接続された吸湿呼吸装置である。
【００３７】
吸湿呼吸装置３は、吸湿剤収納容器４と、該吸湿剤収納容器４の底板に着脱可能に取り付けられて、吸湿剤収納容器４内の圧力と大気圧との差に応じて吸湿剤収納容器４内から外部への排気と外部から吸湿剤収納容器４内への吸気とを行わせる呼吸器６とを備えている。
【００３８】
吸湿剤収納容器４は、硬質ガラスまたはアクリル等の透明な材料からなる筒状の容器本体９と、該容器本体の上端及び下端をそれぞれ閉じる蓋板１０及び底板１１とを備えている。蓋板１０の上面側に容器本体９内に連通した開口面積の大きい管接続部１２が設けられており、下面側にネジ孔を有する締付座１３がスペーサ１３ａを介してネジ１３ｂにより蓋板１０に締結されている。底板１１には呼吸器６を覆う円筒状の保護筒部１１ａがその下面から下方に突出して一体に設けられ、底板１１の上面には図示しない通気孔を有する保護蓋１７が連通孔１１ｂを上方から覆うようにして配設されており、また、底板１１の下面には下方に開口した凹部１１ｃが形成され、底板１１を貫通した連通孔１１ｂ及び保護蓋１７に設けた通気孔を通して容器本体９内に連通させられている。
【００３９】
吸湿剤収納容器４は、一方が締付座１３にネジ結合され、他方が保護蓋１７及び
底板１１を貫通して底板の下面の凹部１１ｃ内に位置するロッド１６と、該ロッド
に設けられているネジ山に螺合されたナット１８とにより蓋板１０及び底板１１が
互いに引き寄せられ、パッキン１９及び２０により気密にシールされて締付け固定
され、その外周が周方向の一部に開口部を有する円柱状の保護カバー２１で覆われ
ている。保護カバー２１は、吸湿剤収納容器４の上方から嵌合させ、保護カバー２１に取付けられている取付金具２１ａとビス２１ｂとで蓋板１０の上面に係止されている。ロッド１６の下方側にはシール用のゴムパッキン２２が保護蓋１７に密着
するようにして嵌合されている。ゴムパッキン２２の外周には溝２２ａが周設され
ており、該溝内に保護蓋１７の内周端を挿嵌させることにより保護蓋１７が底板１
１の上面に係止される。
【００４０】
吸湿剤収納容器４内にはシリカゲル等の吸湿剤が収納され、管接続部１２がネジ結合により接続管２の他端に接続されている。吸湿剤収納容器４内は、変圧器のタンク１内の上部に形成された油面上方の空間に接続管２を通して連通させられている。
【００４１】
呼吸器６を構成する呼吸用弁機構６ａは、底板１１の下面に設けられた凹部１１
ｃを下方から気密に塞ぐ状態で底板１１の下面に着脱可能に直接取り付けられて凹
部１１ｃ内と連通孔１１ｂとを通して排気及び吸気を行わせるように構成される。
【００４２】
呼吸用弁機構６ａは、底板１１の下面に設けられた凹部１１ｃを下方から塞ぐよ
うに配置されて底板１１の下面に着脱可能な状態で接続されたフレーム７ａと、凹
部１１ｃ内を外部に連通させるようにしてフレーム７ａ内に形成された排気通路２
３及び吸気通路２４と、フレーム７ａに支持されて凹部１１ｃ内の圧力が外部の圧
力よりも高くなったときに排気通路２３を開き、凹部１１ｃ内の圧力が外部の圧力
よりも低くなったときに排気通路２３を閉じる排気弁２５と、フレーム７ａに支持
されて凹部１１ｃ内の圧力が外部の圧力よりも高くなったときに吸気通路２４を閉
じ、凹部１１ｃ内の圧力が外部の圧力よりも低くなったときに吸気通路２４を開く
吸気弁２６とを備えている。
【００４３】
更に詳細に説明すると、フレーム７ａは、板厚方向を上下方向に向けた円板状の部材からなっていて、その上端側の外周部にはフランジ７ｂが形成され、このフランジには、４個の取付け孔７ｃが等角度間隔で設けられている。フレーム７ａの上端の端面には、円形の溝７ｄが形成されていて、この溝内にパッキン７ｅが収容されている。
【００４４】
フレーム７ａの凹部１１ｃに臨む上部には、該フレームの上端面に開口させて断面が円形を呈する排気弁収容穴２７と吸気弁収容穴２８とが並べて形成されている。排気弁収容穴２７の底部には排気用弁座２９が取り付けられ、排気弁収容穴２７内に上下動自在に挿入された円柱状の金属ブロックからなる排気弁２５が弁座２９の上に載せられている。また吸気弁収容穴２８の底部に吸気用弁座３０が取り付けられ、吸気弁収容穴２８内に上下動自在に挿入された円柱状の金属ブロックからなる吸気弁２６が、弁座３０の上に載せられている。
【００４５】
フレーム７ａにはまた、排気弁収容穴２７内の側方の位置でフレーム７ａの上端に開口した第１の縦孔部２３ａと、この縦孔部２３ａの下端から排気弁収容穴２７の真下の位置まで延びる横孔部２３ｂと、横孔部２３ｂの縦孔部２３ａと反対側の端部から直角に立ち上がって排気弁収容穴２７内に開口した第２の縦孔部２３ｃとが形成され、縦孔部２３ａと横孔部２３ｂと縦孔部２３ｃとにより、排気弁収容穴２７内の排気弁２５よりも下方の空間をフレーム７ａ内を通して凹部１１ｃ内に連通させる第１の排気孔３１が構成されている。フレーム７ａ内にはまた、排気弁２５の周囲の空間をフレーム７ａ内を通して外部に連通させる第２の排気孔３２が形成され、第１の排気孔３１と、排気弁収容穴２７と、第２の排気孔３２とにより、フレーム７ａ内を通して凹部１１ｃ内を外部に連通させる前記排気通路２３が構成されている。第２の排気孔３２の排気弁収容穴２７と反対側の開口部は下方に開口している。
【００４６】
フレーム７ａにはまた、吸気弁収容穴２８の真下で該フレームの下端に開口したフィルタ収容凹部３３が設けられ、フィルタ収容凹部３３の下方への開口部の周辺に環状のフィルタ押え板収容凹部３４が形成されている。フィルタ収容凹部３３と吸気弁収容穴２８との間に、吸気弁収容穴２８内をフレーム７ａ内を通して外部に連通させる吸気孔３５が形成され、吸気孔３５の吸気弁収容穴２８と反対側の開口部は下方に開口させられている。この例では、吸気孔３５と吸気弁収容穴２８とにより、フレーム７ａ内を通して凹部１１ｃ内を外部に連通させる吸気通路２４が構成されている。
【００４７】
フレーム７ａの上端の端面にはまた、排気弁収容穴２７の開口部を囲むようにして、フレーム７ａの上面に開口した溝３６が形成され、この溝内にパッキン３７が収容されている。そしてパッキン３７の上に配置された蓋体３８がネジ３９によりフレーム７ａに締結され、この蓋体３８により、排気弁収容穴２７の上端の開口部が気密に閉じられて、排気弁収容穴２７と凹部１１ｃとの間が仕切られている。
【００４８】
この例では、凹部１１ｃ内の圧力が外気の圧力よりも第１の設定値以上高くなったときに排気弁２５が開き、凹部１１ｃ内の圧力が外気の圧力よりも第２の設定値以上低くなったときに吸気弁２６が開くように、排気弁２５及び吸気弁２６の質量が設定されている。ここで、第１の設定値及び第２の設定値は異なっていてもよいが、通常は等しく設定しておくのが好ましい。
【００４９】
外部から呼吸用弁機構内に塵埃が侵入するのを防ぐため、フィルタ収容凹部３３内に通気性を有する第１のフィルタ４０が収容されている。フィルタ収容凹部３３を下方から塞ぐことができる大きさを有して中央に通気孔４１ａが形成された第１のフィルタ押え板４１が凹部３４内に配置され、このフィルタ押え板４１が、ネジによりフレーム７ａに締結されて、第１のフィルタ４０が押えられている。
【００５０】
また第２の排気孔３２の下端の開口部と凹部３４とを下方から覆うように通気性を有する第２のフィルタ４２が配置され、この第２のフィルタを下方から押えるように、通気孔４３ａを有する第２のフィルタ押え板４３が配置されている。第２のフィルタ押え板４３は、ネジ４４によりフレーム７ａに締結され、このフィルタ押え板４３によりフィルタ４２が下方から押えられて、フレーム７ａに固定されている。
【００５１】
フレーム７ａに第１及び第２のフィルタ４０及び４２を取り付け、排気弁収容穴２７内及び吸気弁収容穴２８内にそれぞれ排気弁２５及び吸気弁２６を収容した後、フレーム７ａを、凹部１１ｃを下方から塞ぐ状態で底板１１の下面に当接させ、取り付け孔７ｃに挿入したボルト８を底板１１に設けられたネジ穴にねじ込むことにより、フレーム７ａを底板１１に締結する。
【００５２】
上記の吸湿呼吸装置３において、変圧器のタンク１内の圧力と大気圧との差が設定値以下で、吸湿剤収納容器４内の圧力と大気圧との差が設定値以下のときには、排気弁２５及び吸気弁２６がそれぞれ自重により排気用弁座２９及び吸気用弁座３０に接触している（排気弁２５及び吸気弁２６が共に閉じている）ため、呼吸用弁機構６ａによる呼吸は行われず、吸湿剤収納容器４内は密閉状態に保たれる。  
【００５３】
油入変圧器のタンク１内の絶縁油の温度が上昇して該絶縁油が膨張し、タンク１内の油面レベルが上昇すると、吸湿剤収納容器４内の圧力が上昇する。吸湿剤収納容器４内の圧力が大気圧よりも第１の設定値以上高くなると（吸湿剤収納容器内の圧力と大気圧との差圧が第１の設定値以上になると）、排気弁２５が上方に押し上げられて排気弁２５が開き、吸湿剤収納容器４内の空気が凹部１１ｃと排気弁２５とを通して外部に流出して吸湿剤収納容器４内の圧力が開放される。吸湿剤収納容器４内の圧力と大気圧との差が第１の設定値未満になると排気弁２５が自重により排気用弁座２９に接触して、排気弁２５が閉じ、吸湿剤収納容器４内を密閉する。
【００５４】
またタンク１内の絶縁油の温度が低下して油面レベルが下降すると、吸湿剤収納容器４内の圧力が低下する。吸湿剤収納容器４内の圧力が大気圧よりも第２の設定値以上低くなると、吸気弁２６が上方に押し上げられて吸気弁２６が開き、外部から吸気弁２６と凹部１１ｃとを通して吸湿剤収納容器４内に空気が流入する。これにより吸湿剤収納容器４内の圧力が上昇する。吸湿剤収納容器４内の圧力と大気圧との差が第２の設定値未満になると吸気用弁２６が自重により吸気用弁座３０に接触して吸気弁２６が閉じ、吸湿剤収納容器４を密閉する。
【００５５】
本発明においては、呼吸用弁機構６ａを、吸湿剤収納容器４の底板１１の下面に着脱可能に取り付けるので、呼吸用弁機構６ａの着脱を簡単に行うことができ、その保守点検を容易に行なうことができる。
【００５６】
更に、上記のように、排気通路と外気との間及び吸気通路と外気との間に介在して空気室内に外部から粉塵が侵入するのを阻止する通気性のフィルタ４０及び４２を設けておくと、外部から到来する粉塵が排気弁２５及び吸気弁２６に侵入するのを防ぐことができるため、外部から到来する粉塵によりが排気弁２５及び吸気弁２６の密閉機能が喪失するのを防いで信頼性を向上させることができる。
【００５７】
外部からの粉塵の侵入は、特に吸気弁が開いた際に起こりやすい。上記の実施形態では、第２の排気孔３２の開口部を塞ぐ第２のフィルタ４２を吸気孔３５の開口部を塞ぐ第１のフィルタ４０よりも下方に配置して、該第２のフィルタ４２で第１のフィルタ４０を覆うことにより、吸気孔３５を二重に覆うようにしている。このように構成した場合には、吸気弁内に外部から粉塵が侵入するのを確実に防ぐことができる。
【００５８】
なお本発明は、上記のように第１のフィルタ及び第２のフィルタを配置する場合に限定されるものではなく、例えば、第２のフィルタ４２を、第２の排気孔３２の開口部のみを覆うように設けることができる。また吸気孔３５の下方に開口した開口部及び第２の排気孔の下方に開口した開口部を塞ぐ一つのフィルタ（吸気孔及び排気孔に共通なフィルタ）をフレームに取り付けるようにしてもよい。
【００５９】
本発明では、呼吸用弁機構６ａが、底板１１の下面の凹部１１ｃを下方から塞ぐように取り付けられるので、吸湿剤収納容器４内から吸湿剤を回収することなく、吸湿呼吸装置３を接続管２に接続したままの状態で、呼吸用弁機構６ａ着脱を簡単に行なうことができる。従って、呼吸用弁機構６ａの保守点検を容易に行なうことができる。
【符号の説明】
【００６０】
１  変圧器のタンク
２  接続管
３  吸湿剤呼吸装置
４  吸湿剤収納容器
５  アダプタ    
６  呼吸器
６ａ  呼吸用弁機構
７  保護筒
７ａ  フレーム
７ｂ  フランジ
７ｃ  取付け孔
７ｄ  溝
７ｅ  パッキン
８  ボルト
９  容器本体
１０  蓋板
１１  底板
１１ａ  保護筒部    
１１ｂ  連通孔
１１ｃ  凹部
１２  管接続部
１３  締付座
１３ａ  スペーサ
１３ｂ  ネジ
１４  内筒
１５  吸湿剤投入排出孔
１６  ロッド
１７  保護蓋
１８  ナット
１９，２０  パッキン
２１  保護カバー
２１ａ  取付金具
２１ｂ  ビス
２２  ゴムパッキン
２２ａ  溝
２３  排気通路
２３ａ  第１の縦孔部
２３ｂ  横孔部
２３ｃ  第２の縦孔部
２４  吸気通路
２５  排気弁
２６  吸気弁
２７  排気弁収容穴
２８  吸気弁収容穴
２９  排気用弁座
３０  吸気用弁座
３１  第１の排気孔
３２  第２の排気孔
３３  フィルタ収容凹部  
３４  フィルタ押え板収容凹部
３５  吸気孔
３６  溝
３７  パッキン
３８  蓋板
３９  ネジ
４０  第１のフィルタ
４１  第１のフィルタ押え板
４１ａ  通気孔
４２  第２のフィルタ
４３  第２のフィルタ押え板
４３ａ  通気孔
４４  ネジ
【図１】
2012074553.tif 000003
【図２】
2012074553.tif 000004
【図３】
2012074553.tif 000005
【図４】
2012074553.tif 000006